(57)【要約】【課題】床置きスタンドやリモコン等の別体の物を必要とすることなく、床置きと壁掛けのいずれにもでき、かつ、表示モードを切り替えることができるパネル型表示装置を提供する。【解決手段】パネル型表示装置１０は、有機ＥＬディスプレイ２０と、有機ＥＬディスプレイ２０の背面に取り付けられて有機ＥＬディスプレイ２０を支持し、有機ＥＬディスプレイ２０を床置き型及び壁掛け型として選択的に用いることを可能にする折り畳み構造を有する支持部材３０とを備え、有機ＥＬディスプレイ２０は、画像を表示するディスプレイパネル２１と、ディスプレイパネル２１の縁を保持する枠体２２と、枠体２２に設けられた、ディスプレイパネル２１の表示モードを切り替えるための複数の選択ボタン２３ａ〜２３ｃとを有し、複数の選択ボタン２３ａ〜２３ｃのそれぞれは、発光器を含むインジケータを兼ねる。【選択図】図１
0003220921.tif 000002
【実用新案登録請求の範囲】
【請求項１】
有機ＥＬディスプレイと、
前記有機ＥＬディスプレイの背面に取り付けられて前記有機ＥＬディスプレイを支持し、前記有機ＥＬディスプレイを床置き型及び壁掛け型として選択的に用いることを可能にする折り畳み構造を有する支持部材とを備え、
前記有機ＥＬディスプレイは、
画像を表示するディスプレイパネルと、
前記ディスプレイパネルの縁を保持する枠体と、
前記枠体に設けられた、前記ディスプレイパネルの表示モードを切り替えるための複数の選択ボタンとを有し、
前記複数の選択ボタンのそれぞれは、発光器を含むインジケータを兼ねる
パネル型表示装置。
【請求項２】
前記支持部材は、
前記有機ＥＬディスプレイの背面に固定される第１面部材と、
前記第１面部材と線接触し、前記線接触の箇所を軸として回動自在に前記第１面部材に取り付けられた第２面部材とを有する
請求項１記載のパネル型表示装置。
【請求項３】
前記枠体は、壁掛け用孔を有する
請求項１又は２記載のパネル型表示装置。
【請求項４】
さらに、カメラを備え、
前記表示モードは、前記カメラで撮像された画像を所定の倍率で表示する通常表示モード、前記カメラで撮像された画像を前記所定の倍率よりも大きい倍率で表示する拡大表示モード、及び、前記パネル型表示装置に接続されたマイクロスコープによって撮像された画像を表示するマイクロスコープ表示モードを含む
請求項１〜３のいずれか１項に記載のパネル型表示装置。
【請求項５】
前記マイクロスコープ表示モードは、前記ディスプレイパネルに、前記マイクロスコープを用いて撮像された画像をリアルタイムに表示することと並行して、保存されている少なくとも一つの画像を一覧にして表示することを含む
請求項４記載のパネル型表示装置。
【請求項６】
前記複数の選択ボタンのそれぞれは、当該選択ボタンがオンされている場合に前記発光器から光を発する
請求項１〜５のいずれか１項に記載のパネル型表示装置。
【請求項７】
自発光型量子ドットＬＥＤディスプレイと、
前記自発光型量子ドットＬＥＤディスプレイの背面に取り付けられて前記自発光型量子ドットＬＥＤディスプレイを支持し、前記自発光型量子ドットＬＥＤディスプレイを床置き型及び壁掛け型として選択的に用いることを可能にする折り畳み構造を有する支持部材とを備え、
前記自発光型量子ドットＬＥＤディスプレイは、
画像を表示するディスプレイパネルと、
前記ディスプレイパネルの縁を保持する枠体と、
前記枠体に設けられた、前記ディスプレイパネルの表示モードを切り替えるための複数の選択ボタンとを有し、
前記複数の選択ボタンのそれぞれは、発光器を含むインジケータを兼ねる
パネル型表示装置。
【考案の詳細な説明】
【技術分野】
【０００１】
本考案は、パネル型表示装置に関する。
【背景技術】
【０００２】
液晶ディスプレイ等のパネル型表示装置は、カメラを搭載することで電子鏡として利用したり、マイクロスコープと接続することで肌状態診断用表示機として利用したりすることができる。
【０００３】
従来、このようなパネル型表示装置の各種応用を容易にするために、パネル型表示装置を床置きと壁掛けのいずれにもすることを可能にする支持装置が提案されている（例えば、特許文献１参照）。また、表示装置にメニューを表示させずに通常表示モードと拡大表示モードとを切り替えることを可能にするために、リモコンに設けたボタンによって表示モードを切り替える技術も提案されている（例えば、特許文献２参照）。
【先行技術文献】
【特許文献】
【０００４】
【特許文献１】特開平１１−１３３８８３号公報
【特許文献２】特開２００９−０４４２６５号公報
【考案の概要】
【考案が解決しようとする課題】
【０００５】
しかしながら、特許文献１の技術では、表示装置を床置きにするには、表示装置とは別体の床置きスタンドを必要とし、床置きと壁掛けとの切り替え作業が煩わしかったり、床置きスタンドの管理及び保管が煩わしかったりするという問題がある。
【０００６】
また、特許文献２の技術では、表示モードを切り替えるためにリモコンを必要とし、リモコンの管理及び保管が煩わしいという問題がある。
【０００７】
そこで、本考案は、上記問題点に鑑みてなされたものであり、床置きスタンドやリモコン等の別体の物を必要とすることなく、床置きと壁掛けのいずれにもでき、かつ、表示モードを切り替えることができるパネル型表示装置を提供することを目的とする。
【課題を解決するための手段】
【０００８】
上記目的を達成するために、本考案の一形態に係るパネル型表示装置は、有機ＥＬディスプレイと、前記有機ＥＬディスプレイの背面に取り付けられて前記有機ＥＬディスプレイを支持し、前記有機ＥＬディスプレイを床置き型及び壁掛け型として選択的に用いることを可能にする折り畳み構造を有する支持部材とを備え、前記有機ＥＬディスプレイは、画像を表示するディスプレイパネルと、前記ディスプレイパネルの縁を保持する枠体と、前記枠体に設けられた、前記ディスプレイパネルの表示モードを切り替えるための複数の選択ボタンとを有し、前記複数の選択ボタンのそれぞれは、発光器を含むインジケータを兼ねる。
【０００９】
上記目的を達成するために、本考案の一形態に係るパネル型表示装置は、自発光型量子ドットＬＥＤディスプレイと、前記自発光型量子ドットＬＥＤディスプレイの背面に取り付けられて前記自発光型量子ドットＬＥＤディスプレイを支持し、前記自発光型量子ドットＬＥＤディスプレイを床置き型及び壁掛け型として選択的に用いることを可能にする折り畳み構造を有する支持部材とを備え、前記自発光型量子ドットＬＥＤディスプレイは、画像を表示するディスプレイパネルと、前記ディスプレイパネルの縁を保持する枠体と、前記枠体に設けられた、前記ディスプレイパネルの表示モードを切り替えるための複数の選択ボタンとを有し、前記複数の選択ボタンのそれぞれは、発光器を含むインジケータを兼ねる。
【考案の効果】
【００１０】
本考案により、床置きスタンドやリモコン等の別体の物を必要とすることなく、床置きと壁掛けのいずれにもでき、かつ、表示モードを切り替えることができるパネル型表示装置が提供される。
【図面の簡単な説明】
【００１１】
【図１】図１は、実施の形態に係るパネル型表示装置の外観図である。
【図２】図２は、実施の形態に係るパネル型表示装置の使用例を示す図である。
【図３】図３は、実施の形態に係るパネル型表示装置の動作例を示す図である。
【考案を実施するための形態】
【００１２】
以下、本考案の実施の形態について、図面を用いて詳細に説明する。なお、以下で説明する実施の形態は、いずれも本考案の一具体例を示す。以下の実施の形態で示される数値、形状、材料、構成要素、構成要素の配置位置及び接続形態、使用例、動作例等は、一例であり、本考案を限定する主旨ではない。また、以下の実施の形態における構成要素のうち、本考案の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。また、明細書において、「上」、「下」、「右」、「左」との表記は、パネル型表示装置を水平面に床置きして前面から見た場合の方向を示す。
【００１３】
図１は、実施の形態に係るパネル型表示装置１０の外観図である。より詳しくは、図１の（ａ）はパネル型表示装置１０の前面を示し、図１の（ｂ）はパネル型表示装置１０の側面を示し、図１の（ｃ）はパネル型表示装置１０の背面を示す。
【００１４】
パネル型表示装置１０は、床置きスタンドやリモコン等の別体の物を必要とすることなく、スタンドアローンで、床置きと壁掛けのいずれにもでき、かつ、表示モードを切り替えることができる表示装置であり、電子鏡として利用したり、マイクロスコープと接続することで肌状態診断用表示機として利用したりすることができる。パネル型表示装置１０は、有機ＥＬディスプレイ２０と、支持部材３０と、カメラ４０とを備える。
【００１５】
有機ＥＬディスプレイ２０は、外部から入力される又は内部に保持している画像（静止画及び動画を含む）を表示するディスプレイパネル２１と、ディスプレイパネル２１の縁を保持するフレームとしての枠体２２と、枠体２２に設けられた、ディスプレイパネル２１の表示モードを切り替えるための複数の選択ボタン２３ａ〜２３ｃとを有する。本実施の形態では、ディスプレイパネル２１は、タッチパネルとしての機能を有するタッチパネルディスプレイである。枠体２２には、壁に固定されたフックやネジ等を貫通させる壁掛け用孔２２ａが形成されている。
【００１６】
複数の選択ボタン２３ａ〜２３ｃのそれぞれは、ＬＥＤ等の発光器を含むインジケータを兼ねる。つまり、複数の選択ボタン２３ａ〜２３ｃのそれぞれは、当該選択ボタンがオンされている場合に発光器から光を発する。選択ボタン２３ａ〜２３ｃは、例えば、プッシュボタンであってもよいし、タッチパネルを用いたソフトウェアボタンであってもよい。
【００１７】
選択ボタン２３ａ〜２３ｃによって切り替えられる表示モードには、カメラ４０で撮像された画像を所定の倍率で表示する通常表示モード、カメラ４０で撮像された画像を所定の倍率よりも大きい倍率で表示する拡大表示モード、及び、パネル型表示装置１０に接続されたマイクロスコープ４１によって撮像された画像（以下、「マイクロスコープ画像」という）を表示するマイクロスコープ表示モードが含まれる。マイクロスコープ表示モードは、ディスプレイパネル２１に、マイクロスコープ４１を用いて撮像された画像をリアルタイムに表示することと並行して、保存されている少なくとも一つの画像（マイクロスコープ画像を含む）を一覧にして表示することを含む。通常表示モード及び拡大表示モードは、パネル型表示装置１０を電子鏡として利用する場合に用いられ、マイクロスコープ表示モードは、パネル型表示装置１０を肌状態診断用表示機として利用する場合に用いられる。
【００１８】
支持部材３０は、有機ＥＬディスプレイ２０の背面に取り付けられて有機ＥＬディスプレイ２０を支持し、有機ＥＬディスプレイ２０を床置き型及び壁掛け型として選択的に用いることを可能にする折り畳み構造を有する。より詳しくは、支持部材３０は、有機ＥＬディスプレイ２０の背面に固定される第１面部材３１と、第１面部材３１と線接触し、線接触の箇所を軸として回動自在に第１面部材３１に取り付けられた第２面部材３２と、第１面部材３１及び第２面部材３２それぞれの底辺と連結される底面部材３３を有する。底面部材３３は、第１面部材３１と第２面部材３２とが接近するように支持部材３０が折り畳まれた場合に、上方に屈曲して折り畳まれる構造を有する。第１面部材３１、第２面部材３２及び底面部材３３は、例えば、樹脂製の板材である。
【００１９】
カメラ４０は、枠体２２の前面の上辺に組み込まれ、パネル型表示装置１０の前方を撮像する。カメラ４０は、パネル型表示装置１０を電子鏡として機能させるのに用いられる。
【００２０】
なお、パネル型表示装置１０には、図示されていないが、有機ＥＬディスプレイ２０の内部又は背面等の箇所に、制御プログラム及び画像を格納した不揮発性メモリ、揮発性メモリ、制御プログラムを実行するプロセッサ、周辺回路やメモリカード等の外部機器とデータや映像信号等のやりとりをする入出力ポートや通信インタフェースが実装された回路基板又は半導体チップが備えられている。プロセッサが制御プログラムを実行することにより、パネル型表示装置１０を電子鏡として機能させたり、パネル型表示装置１０に接続されたマイクロスコープを用いてでパネル型表示装置１０を肌状態診断用表示機として機能させたり、選択ボタン２３ａ〜２３ｃ及びディスプレイパネル２１を介してユーザと対話したり、外部機器と通信したりする。
【００２１】
次に、以上のように構成された本実施の形態に係るパネル型表示装置１０の使用例及び動作例について説明する。
【００２２】
図２は、本実施の形態に係るパネル型表示装置１０の使用例を示す図である。より詳しくは、図２の（ａ）は床置き型として用いる場合のパネル型表示装置１０の外観を示し、図２の（ｂ）は壁掛け型として用いる場合のパネル型表示装置１０の外観を示す。
【００２３】
図２の（ａ）に示されるように、パネル型表示装置１０を床置き型として用いる場合には、支持部材３０を開いた状態、つまり、支持部材３０の第２面部材３２を第１面部材３１から引き離した状態にする（この状態では、底面部材３３は約９０度で屈曲した状態となる）ことで、パネル型表示装置１０を床、棚、机等の水平面に立てて置くことができる。
【００２４】
一方、図２の（ｂ）に示されるように、パネル型表示装置１０を壁掛け型として用いる場合には、支持部材３０を折り畳んだ状態、つまり、支持部材３０の第２面部材３２を第１面部材３１に近づけて重ねた状態にした（この状態では、底面部材３３も折り畳まれた状態となる）うえで、壁に固定されたフック４５等をパネル型表示装置１０の壁掛け用孔２２ａに貫通させることで、パネル型表示装置１０を壁に掛けることができる。
【００２５】
図３は、本実施の形態に係るパネル型表示装置１０の動作例を示す図である。より詳しくは、図３の（ａ）は通常表示モードでの表示例を示し、図３の（ｂ）は拡大表示モードでの表示例を示し、図３の（ｃ）はマイクロスコープ表示モードでの表示例を示す。
【００２６】
図３の（ａ）に示されるように、通常表示モードでは、パネル型表示装置１０の前面に設けられたカメラ４０で撮像された画像が所定の倍率（例えば、１倍）でディスプレイパネル２１に表示される。これにより、ユーザは、パネル型表示装置１０を電子鏡として用いることができる。この通常表示モードは、パネル型表示装置１０の前面に設けられた左端の選択ボタン２３ａを押す又はタッチすることで選択される。選択ボタン２３ａが押される又はタッチされると、選択ボタン２３ａの中に設けられた発光器が点灯する。これにより、ユーザは、パネル型表示装置１０が通常表示モードで動作していることを知る。なお、選択ボタン２３ａの近くの枠体２２上に「通常表示モード」との印刷又は刻印がされていてもよい。
【００２７】
また、図３の（ｂ）に示されるように、拡大表示モードでは、パネル型表示装置１０の前面に設けられたカメラ４０で撮像された画像が所定の倍率よりも大きい倍率（例えば、ディスプレイパネル２１に表示されたメニューを介してユーザによって設定される２倍等の倍率）でディスプレイパネル２１に表示される。これにより、ユーザは、パネル型表示装置１０を拡大鏡として機能する電子鏡として用いることができる。この拡大表示モードは、パネル型表示装置１０の前面に設けられた中央の選択ボタン２３ｂを押す又はタッチすることで選択される。選択ボタン２３ｂが押される又はタッチされると、選択ボタン２３ｂの中に設けられた発光器が点灯する。これにより、ユーザは、パネル型表示装置１０が拡大表示モードで動作していることを知る。なお、選択ボタン２３ｂの近くの枠体２２上に「拡大表示モード」との印刷又は刻印がされていてもよい。
【００２８】
また、図３の（ｃ）に示されるように、マイクロスコープ表示モードでは、ディスプレイパネル２１に、パネル型表示装置１０と無線通信で接続されたマイクロスコープ４１を用いて撮像された画像がリアルタイムに表示される（表示領域２１ａ参照）ことと並行して、保存されている少なくとも一つの画像（マイクロスコープ画像を含む）が一覧にして表示される（表示領域２１ｂ参照）。これにより、ユーザは、自分の肌の状態を確認したり、過去に保存した肌の状態と比較したりすることで、パネル型表示装置１０を肌状態診断用表示機として用いることができる。このマイクロスコープ表示モードは、パネル型表示装置１０の前面に設けられた右端の選択ボタン２３ｃを押す又はタッチすることで選択される。選択ボタン２３ｃが押される又はタッチされると、選択ボタン２３ｃの中に設けられた発光器が点灯する。これにより、ユーザは、パネル型表示装置１０がマイクロスコープ表示モードで動作していることを知る。なお、選択ボタン２３ｃの近くの枠体２２上に「マイクロスコープ表示モード」との印刷又は刻印がされていてもよい。
【００２９】
以上のように、本実施の形態に係るパネル型表示装置１０は、有機ＥＬディスプレイ２０と、有機ＥＬディスプレイ２０の背面に取り付けられて有機ＥＬディスプレイ２０を支持し、有機ＥＬディスプレイ２０を床置き型及び壁掛け型として選択的に用いることを可能にする折り畳み構造を有する支持部材３０とを備え、有機ＥＬディスプレイ２０は、画像を表示するディスプレイパネル２１と、ディスプレイパネル２１の縁を保持する枠体２２と、枠体２２に設けられた、ディスプレイパネル２１の表示モードを切り替えるための複数の選択ボタン２３ａ〜２３ｃとを有し、複数の選択ボタン２３ａ〜２３ｃのそれぞれは、発光器を含むインジケータを兼ねる。
【００３０】
これにより、折り畳み構造の支持部材３０によって有機ＥＬディスプレイ２０を床置き型及び壁掛け型として選択的に用いることが可能となり、かつ、枠体２２に設けられたインジケータを兼ねる複数の選択ボタン２３ａ〜２３ｃによってディスプレイパネル２１の表示モードが切り替えられる。よって、床置きスタンドやリモコン等の別体の物を必要とすることなく、床置きと壁掛けのいずれにもでき、かつ、ワンタッチで表示モードを切り替えることができるパネル型表示装置１０が実現される。しかも、パネル型表示装置１０は、有機ＥＬディスプレイ２０で構成されるので、薄型かつ軽量であり、手で持った場合であっても、壁に掛けた場合であっても、荷重の負荷が極めて小さい。
【００３１】
また、支持部材３０は、有機ＥＬディスプレイ２０の背面に固定される第１面部材３１と、第１面部材３１と線接触し、線接触の箇所を軸として回動自在に第１面部材３１に取り付けられた第２面部材３２とを有する。これにより、支持部材３０において、第２面部材３２を第１面部材３１に対して回動させるように開閉する簡単な操作で、有機ＥＬディスプレイ２０を床置き型及び壁掛け型として選択的に用いることができる。
【００３２】
また、枠体２２は、壁掛け用孔２２ａを有する。これにより、枠体２２には、壁に固定されたフックやネジ等を壁掛け用孔２２ａに貫通させる簡単な操作で、有機ＥＬディスプレイ２０を壁掛け型として用いることができる。
【００３３】
また、パネル型表示装置１０は、さらに、カメラ４０を備え、表示モードは、カメラ４０で撮像された画像を所定の倍率で表示する通常表示モード、カメラ４０で撮像された画像を所定の倍率よりも大きい倍率で表示する拡大表示モード、及び、パネル型表示装置１０に接続されたマイクロスコープ４１によって撮像された画像を表示するマイクロスコープ表示モードを含む。これにより、パネル型表示装置１０を鏡として機能する電子鏡、拡大鏡として機能する電子鏡、及び、肌状態診断用表示機として用いることができる。
【００３４】
また、マイクロスコープ表示モードは、ディスプレイパネル２１に、マイクロスコープ４１を用いて撮像された画像をリアルタイムに表示することと並行して、保存されている少なくとも一つの画像を一覧にして表示することを含む。これにより、マイクロスコープ表示モードでは、肌を拡大して観察したり、過去に撮像した肌と比較して肌を診断したりすることができる。
【００３５】
また、複数の選択ボタン２３ａ〜２３ｃのそれぞれは、当該選択ボタンがオンされている場合に発光器から光を発する。これにより、選択ボタン２３ａ〜２３ｃのそれぞれが有する発光器の点灯状態により、現在の表示モードが一目で分かる。
【００３６】
以上、本考案のパネル型表示装置１０について、実施の形態に基づいて説明したが、本考案は、この実施の形態に限定されるものではない。本考案の主旨を逸脱しない限り、当業者が思いつく各種変形を本実施の形態に施したものや、実施の形態における一部の構成要素を組み合わせて構築される別の形態も、本考案の範囲内に含まれる。
【００３７】
例えば、上記実施の形態では、パネル型表示装置１０の枠体２２に、壁掛け用孔２２ａが設けられたが、これに代えて、あるいは、これに加えて、枠体２２の背面に、壁に固定されたフックやネジ等が係止する溝又は有底の穴が設けられてもよい。さらに、パネル型表示装置１０を紐で吊り下げて壁掛け型表示装置としてもよい。その場合、枠体２２には、紐を固定させるためにリングが設けられても良いし、枠体２２にリング状の紐が直接固定されている形態であっても良い。
【００３８】
また、上記実施の形態では、パネル型表示装置１０にカメラ４０が内蔵されたが、必ずしも、パネル型表示装置１０にカメラ４０が内蔵される必要はない。マイクロスコープ４１と同様に、カメラ４０についても、パネル型表示装置１０と無線通信等で接続されてもよい。
【００３９】
また、上記実施の形態では、パネル型表示装置１０は、３つの表示モードを有したが、これらに限られず、保存されている複数の画像を自動再生するスライドショーやメニュー表示等の別の表示モードをさらに有してもよい。
【００４０】
なお、上記実施の形態において、パネル型表示装置として有機ＥＬディスプレイを採用した形態について説明したが、高画質であると同時に薄型軽量を実現できるディスプレイであれば、有機ＥＬディスプレイに限らない。例えば、自発光型の量子ドットLED(QLED)ディスプレイを採用しても本考案と同様に床置き型と壁掛け型を両立したパネル型表示装置を実現することができる。
【産業上の利用可能性】
【００４１】
本考案は、パネル型表示装置として、特に、床置きスタンドやリモコン等の別体の物を必要とすることなく、床置きと壁掛けのいずれにもでき、かつ、表示モードを切り替えることができるパネル型表示装置として、例えば、電子鏡及び肌状態診断用表示機として機能するパネル型表示装置として、利用できる。
【符号の説明】
【００４２】
１０  パネル型表示装置
２０  有機ＥＬディスプレイ
２１  ディスプレイパネル
２１ａ、２１ｂ  表示領域
２２  枠体
２２ａ  壁掛け用孔
２３ａ、２３ｂ、２３ｃ  選択ボタン
３０  支持部材
３１  第１面部材
３２  第２面部材
３３  底面部材
４０  カメラ
４１  マイクロスコープ
４５  フック
【図１】
0003220921.tif 000003
【図２】
0003220921.tif 000004
【図３】
0003220921.tif 000005